(57)【要約】      （修正有）【課題】車中の混雑時、夜間とか、人気の少ない所等において、発生する痴漢対策として、有益な警報器用の袋体を提供する。【解決手段】袋体１に内袋を設け、内袋に警報器を配備したパスケースでなる警報器用の袋１であって、袋体１に備わった開閉部の開口を開閉する閉め具５を備え、袋体に設けた孔３に、内袋に収容した警報器のスイッチが配備される構成とした警報器用の袋である。袋１を手で保持する時、又はポケット、カバン、バック等への収容時、直ちに、警報器のスイッチを操作できる利点と、怪しまれず警報器を操作できる利点とを有する。気づかれずに、警報器の操作（作動）と、警報音を発し得る、特徴がある。【選択図】図３
2020005780.tif 000002
【特許請求の範囲】
【請求項１】
袋体に、一つ、乃至複数の内袋を設け、この内袋の何れかに警報器を配備したポーチ、カード入れ、パスポート入れ、その他のケースの何れかでなる警報器用の袋であって、
前記袋体に備わった開閉部の開口を開閉する、チャック、面ファスナ、ボタンの何れかの中で選択された、少なくとも、一つの閉め具を備え、
前記袋体には、少なくとも、一つ、又は複数の孔を形成し、この孔の何れかに、前記内袋に収容した前記警報器のスイッチが配備される構成とした警報器用の袋。
【請求項２】
前記警報器のスピーカを、前記孔に配備することを特徴とした請求項１に記載の警報器用の袋。
【請求項３】
前記警報器の発信部には、警報音声を発する第１発信部と、警報メドレー音声を発する第２発信部とを備えていることを特徴とした請求項１に記載の警報器用の袋。
【請求項４】
前記孔の開口の一部、又は全部に、保護用の布、皮革、合成皮革の何れか一つの被覆材を備えていることを特徴とした請求項１に記載の警報器用の袋。
【請求項５】
前記被覆材は、前記袋体と同質素材か、又は異質素材とすることを特徴とした請求項１に記載の警報器用の袋。
【請求項６】
前記スイッチの表面は、前記袋体の表面と、同じ面に存在するか、又は幾分、下にあることを特徴とした請求項２に記載の警報器用の袋。
【発明の詳細な説明】
【技術分野】
【０００１】
本発明は、警報器用の袋であって、詳しくは、車中の混雑時、夜間とか、人気の少ない所等において、発生する痴漢対策として、有益な警報器用の袋に関する。
【背景技術】
【０００２】
周知の如く、前記車中混雑時、夜間とか、人気の少ないところ等において、発生する痴漢対策として、種々の警報器具が市販、かつ提案されている。しかし、機能面とか、大きさ、等に関する希望を十分に満たしていないと考えられる。そこで、これらの問題を解決できて、かつ使い勝手がよい構造に関して、先行文献を列挙する。
【０００３】
特開平８−１００２５号公報（文献（１））は、ケースの所定個所（部位）にカードを抜き差しできること、及び電気回路を利用し、例えば、カードを抜き、部位に設けた検出器部材（スイッチ）と離間し、かつ定められた時間外となった状態下で、警報音が作動する構造であり、確実に動作して、緊急時に対応する。この発明は、有益であるが、構造が複雑であり、故障の原因となること、使い勝手に簡便性を欠くことが考えられる。
【０００４】
実用新案登録第３１６２０４９号公報（文献（２））は、押しボタンはネット状の被覆部で覆われていて露出していないが、クッション材で囲まれているため，被覆部の表裏どちらからでも押圧でスイッチが入る仕組みの構造である。押圧操作で、鳴動する。しかし、この考案は、有効であるが、構造的に、成人が持ち歩くには、抵抗感がある。また、警報器としてのみの考案であり、利用価値が少ないと考えられる。
【特許文献１】特開平８−１００２５号公報
【特許文献２】実用新案登録第３１６２０４９号公報
【発明の概要】
【発明が解決しようとする課題】
【０００５】
上記に鑑み、本発明は、構造が簡単で、人目に付かなく、かつ確実に操作できることから、例えば、車中混雑時、夜間とか、人気の少ないところ等において、発生する痴漢対策として、有益な警報器用の袋を提供する。これにより、従来の課題を解決しつつ、痴漢をなくし、安全な乗車と、外出ができる生活環境を確保できる機器の提供である。
【課題を解決するための手段】
【０００６】
即ち、本発明は、上記の警報器用の袋を開示するために、請求項１−６を提示する。
【発明の効果】
【０００７】
請求項１の発明は、袋体に、一つ、乃至複数の内袋を設け、何れかの内袋に警報器を配備したポーチ、カード入れ、パスポート入れ、その他のケースの何れかでなる警報器用の袋であって、
袋体に備わった開閉部の開口を開閉する、チャック、面ファスナ、ボタンの何れかの中で選択された、少なくとも、一つの閉め具を備え、
袋体には、少なくとも、一つ、又は複数の孔を形成し、何れかの孔に、内袋に収容した警報器のスイッチが配備される構成とした警報器用の袋である。
【０００８】
従って、請求項１においては、袋を手で保持する時、又はポケット、カバン、バック等への収容時、或いは衣服の下であっても、直ちに、警報器のスイッチを操作できる利点と、怪しまれず警報器を操作できる利点とを有する。これにより、気づかれずに警報器の操作（作動）と、警報音を発し得る特徴がある。また、痴漢被害から身を守り得る。また、孔にスイッチがあることから、誤動作の発生もなく、かつ確実に操作できる実益がある。
【０００９】
請求項２の発明は、警報器のスピーカを、孔に配備することを特徴とした警報器用の袋である。
【００１０】
従って、請求項２では、請求項１の特徴と、ポケット等への収容時、或いは衣服の下（隠れた場所）等の場合でも、警報音を発することができる利点がある。
請求項３の発明は、警報器の発信部には、警報音声を発する第１発信部と、警報メドレー音声を発する第２発信部とを備えていることを特徴とした警報器用の袋である
従って、請求項３の発明は、請求項１と同じ特徴があり、かつ車中での使用と、夜間とか、人気の少ないところでの使用を区別して操作できることから、使用に躊躇することなく、安心して使用できること等の利点がある。
【００１１】
請求項４の発明は、孔の開口の一部、又は全部に、保護用の布、皮革、合成皮革の何れか一つの被覆材を備えていることを特徴とした警報器用の袋である
従って、請求項４では、請求項１の特徴と、袋を忌憚なく持ち運びできること、かつ緊急時に躊躇することなく対応できる。
【００１２】
請求項５の発明は、被覆材は、袋体と同質素材か、又は異質素材とすることを特徴とした警報器用の袋である。
【００１３】
従って、請求項５では、請求項１の特徴と、袋の持ち運びに優越感があり、かつ利用度の向上と、有効性の向上とが図れる。
【００１４】
請求項６の発明は、スイッチの表面は、袋体の表面と、同じ面に存在するか、又は幾分、下にあることを特徴とした警報器用の袋である。
【００１５】
従って、請求項６では、請求項１の特徴と、スイッチを容易に探り当て得る利点がある。
【図面の簡単な説明】
【００１６】
各図は、袋の一例として、パスケースを図示し、以下に提示する。
【図１】本発明のパスケースの一部欠截の斜視図
【図２】図１の一部欠截の正面図
【図３】図１の一部欠截の背面図
【図４】図１の展開した斜視図
【図５】図４の参考平面図
【図６】図４の展開した状態で第１内袋に、警報器を収容する前の状態、又は収容後の状態の斜視図
【図７】図６の警報器を収容する前の状態の平面図
【図８】警報器の斜視図
【図９】警報器の回路図
【図１０】音声の楽譜の一例を占めた図
【図１１】操作と、その機構の手順を説明するフローチャート
【発明を実施するための形態】
【００１７】
図１−図７において、１は警報器Ａを収容する袋体であり、この袋体１は、例えば、パスケースとか、ポーチ、小銭入れポーチ、その他のポーチ、さらには、カード入れ、パスポート入れ、定期入れ、その他の入れ物、又は例えば、煙草入れケース、筐形ケース、吊下げケース等のその他のケース等の何れか一つの袋形態である（袋であれば限定されない）。
【００１８】
そして、この袋体１は、一枚の素材（表裏材１ａ、１ｂ）を折り曲げて、その端辺（周辺）に、帯状の連結用の側繋材１ｃを縫着２することで形成されている。この側繋材１ｃ、及び／又は、縫着２は一例であり、他の方法としては、袋体１は、一枚素材の折り畳みとするか(側繋材１ｃを含めて)、また、縫着2は、溶着手段、接合手段、その他の一体化方法等とする。この表裏材１ａ、１ｂの外側は、袋体１の表裏面１００、１０１となる。通常の袋の素材と成形方法を利用することが望ましいが、限定されない。また、寸法とか厚み等も限定されない。
【００１９】
この表裏材１ａ、１ｂで形成されている袋体１は、その表面１００が表材１ａであり、その裏面１０１が裏材１ｂとなる。そして、この表面１００(表材１ａ)、又は裏面１０１(裏材１ｂ)には、例えば、花びら形とか、コーン形の孔３を開設する。この孔３には、少なくとも、第１内袋７ａに収容した警報器ＡのスイッチＡ１、及び／又は、スピーカＡ２が位置する。そして、望ましくは、スイッチＡ１、及び／又は、スピーカＡ２の何れ、又は双方が露出する。即ち、直接、接触するような構成とする。これにより、間違いなく、操作できる構成とする。この例では、警報器Ａの表面Ａ３より、突出する構成とし、表面１００(表材１ａ)、又は裏面１０１(裏材１ｂ)より、僅かであるが、出代の構成である。そして、スイッチＡ１は、表面が平坦形状(円板形状)とし、確実に押圧容易とすることと、二条の切欠きを備えた脚部を形成し、この先にスイッチＡ１を形成した構成を採用することで、例えば、スイッチＡ１を僅かの力で、操作可能とする。スィッチＡ１を切り替える際の復元性を確保する。また、スピーカＡ２は、緩やかな山形形状で、スピーカＡ２には、スリットを備える。スリットは、音の外部への発信部であり、山形形状は、音色にナレーション効果とか、インパクトを周辺の人に与え得ると考えられる。尚、両者(スイッチＡ１とスピーカＡ２)の、少なくとも、表面形状を違えることで、例えば、押圧誤操作回避と、操作の確実化・容易化等を意図する。
【００２０】
側繋材１ｃには、袋体１の開閉部１０２を開閉するファスナ５（チャック、面ファスナ、ボタン等も可能である。即ち、閉め具である）と、ファスナ５を操作する取手６を備えている。そして、このファスナ５の操作を介して、開閉部１０２を解放し、袋体１の内部を確認する。また、表裏材１ａ、１ｂ間に、緩衝部材を配備することも有り得る。図示しないが、例えば、袋体１には、定期券の視認性確保を意図し透明部を備える。
【００２１】
以上の袋体１、第１〜第ｎ内袋(後述する)と、側繋材１ｃで袋を形成し、この袋を開閉する開閉手段(ファスナ５)等を備える。
【００２２】
また、図中６は取手で、ファスナ５を操作する手段である。この一例では、袋体１の開閉部１０２の開口１０３を開閉する開閉用のファスナ５の一部品であり、取手６により、ファスナ５を操作し（開放し）、この開閉部１０２を開閉する。そして、この開放で、第１〜第ｎ内袋７ａ〜７ｎに警報器Ａとかパス、カード、パスポート、証明書、その他の品物を収容する。例えば、第１内袋７ａに警報器Ａを、第２内袋７ｂにパス(図示せず)を収容する。尚、第１内袋７ａを袋体１内に設ける位置は、警報器Ａが簡易、かつスムーズに差し入れできる構成とすることが望ましい。
【００２３】
袋体１の素材、及び／又は、第１〜第ｎ内袋７ａ〜７ｎは、例えば、布地、ビニール、皮、合成皮革、等の何れでも可能である。また、袋体１の素材、及び／又は、第１〜第ｎ内袋７ａ〜７ｎの形態とか、大きさは自由である。
【００２４】
図示しないが、孔３は、一部、又は全部を、メッシュ、フイルム等の薄い素材(被覆材)で覆うことも可能である。孔３の数は、一個に限定されず、複数個も有りえる。複数個の孔３に、それぞれ、スイッチＡ１とスピーカＡ２を設けることも有り得る。
【００２５】
使用の一例を説明すると、図６の如く、袋体１の開閉部１０２を開放する。その第１内袋７ａの口より警報器Ａを差し入れる。その際に、警報器ＡのスイッチＡ１、及び／又は、スピーカＡ２を、袋体１の孔３に嵌め込み、スイッチＡ１、及び／又は、スピーカＡ２が、表材１ａに現れる。現れる形態は、表材１ａより突出する構成と、陥没する構成等であり、限定されないが、望ましくは、少し、露出することが、スイッチＡ１の操作性、操作の容易性等に有効であり、かつ警報器Ａの第１発信部（図示しない）から、例えば、警報音声が、又は第２発信部（図示しない）から、警報メドレー(メドレー音声)が、それぞれ発せられる。即ち、痴漢回避・撃退に有効であり、かつ危険回避に有効である。そして、望ましくは、外部、夜間等の人の少ない処では、警報音が、車内等の人の多い処では、警報メドレーが、発せられる。この警報音声により、例えば、痴漢回避・撃退に有効であり、かつ危険回避に有効である。また、加害者への警報、注意喚起にも有効性があることと、警報メドレーは警報音声(ブザー)と異なり、被害者は心置きなく操作できること、等の有効性が担持される。スイッチＡ１を一秒間長押しすると、警報音声が、又は、一秒間に三回押すと警報メドレーが発信される構成である。音声の楽譜は、例えば、図１０に示してある。また、音声発信中に、再度、スイッチＡ１を押すことで、停止する。
【００２６】
図９は回路図で、バッテリー２０ａ、２０ｂを自動制御するバッテリー処理部(バッチ処理部)２１と、中央演算基板(ＣＰＵ)２２と、これに接続されたＩＣＳＰ基板２３と、このＩＣＳＰ基板２３は、電源供給制御用基板２４を制御するとともに、中央演算基板(ＣＰＵ)２２に司令を伝える。前記バッテリー処理部(バッチ処理部)２１による制御で、発信部の第１発信部と第２発信部より警報音声と警報メドレーとを、適宜、切り替え可能とする。尚、ＭＣＬＲ２５は、各種機器の切り替えを図る。例えば、音声の切り替えとか、ストップの司令制御、又は電源の入り切り等の制御とかが考えられる。中央演算基板(ＣＰＵ)２２に接続されている。
【００２７】
図１０は、音声の警報メドレーを示した楽譜である。
【００２８】
図１１は、動作(操作)の一例を示すものであり、スタートで、電源をＯＮとする。そして、緊急時、スイッチＡ１を押す(ＳＴ−１)。例えば、警報音声では、一秒間長押しすると、回路図の構成から、スピーカＡ２から発信される(ＳＴ−２)。痴漢撃退と、周囲に緊急時であることを知らしめる(ＳＴ−３)。即ち、各人の助けで、未然に解決できるか、又は最悪の状態は回避できることが理解できる。(ＳＴ−１)が、不幸にして、誤動作、及び／又は、(ＳＴ−３)が解決した等の場合には、戻るか、又は発信中にスイッチＡ１を押すことで発信は止まる(終了する)。尚、図示しないが、警報メドレーにおいても、前述の工程と同じあるが、スイッチＡ１の押し方が異なる。即ち、スイッチＡ１を、一秒間に三回押すことで始まる(ＳＴ−１)。その後は、前述の例に準ずる。
【００２９】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３０】
１  袋体
１ａ  表材(表面１００)
１ｂ  裏材(裏面１０１)
１ｃ  側繋材
１０２  開閉部
１０３  開口
２  縫着
３  孔
５  ファスナ
６  取手
７ａ〜７ｎ  第１内袋〜第ｎ内袋
２０ａ、２０ｂ  バッテリー
２１  バッテリー処理部
２２  中央演算基板(ＣＰＵ)
２３  ＩＣＳＰ基板
２４  電源供給制御用基板
２５  ＭＣＬＲ
Ａ  警報器
Ａ１  スイッチ
Ａ２  スピーカ
Ａ３  表面
【図１】
2020005780.tif 000003
【図２】
2020005780.tif 000004
【図３】
2020005780.tif 000005
【図４】
2020005780.tif 000006
【図５】
2020005780.tif 000007
【図６】
2020005780.tif 000008
【図７】
2020005780.tif 000009
【図８】
2020005780.tif 000010
【図９】
2020005780.tif 000011
【図１０】
2020005780.tif 000012
【図１１】
2020005780.tif 000013